(57)【特許請求の範囲】
【請求項１】
四角な台枠状の基台枠（１）の上面側に、該基台枠（１）の四隅部にそれぞれ設けた支柱支持部（１０）から立ち上がる四本の支柱（３０）と、それら支柱（３０）の上端部間に渡架する四本の梁材（３１）とにより組み立てられる袋支持枠（３）を装架し、その袋支持枠（３）に上口（４０）を四角な枠状に開口せしめた穀粒袋（４）を、該穀粒袋（４）の上口（４０）の周辺部に設けた鞘状乃至袋状の袋懸架部（４２）に対する前記梁材（３１）の挿通により懸架して構成する穀粒搬送機であって、袋支持枠（３）の四本の支柱（３０）の各下端側を、基台枠（１）の四隅部に設けた支柱支持部（１０）に対し装脱自在に支持せしめ、それら四本の支柱（３０）の各上端側の左右方向における対向面側の壁面には、チャンネル状とした連結金具（Ｃ）をそれぞれ対向面側に取り付け、それら連結金具（Ｃ）と前面側及び後面側における左右の支柱（３０）の各上端部と袋支持枠（３）の前後の梁材（３１）の左右の両端部とを、それらに挿通せる縦方向の連結軸（Ｙ）により一体的に連結し、かつ、前記四本の支柱（３０）の各上端側の、前後方向における対向面側の壁面には、チャンネル状とした連結金具（Ｂ）を、それぞれ対向面側に突出させて取り付け、それら連結金具（Ｂ）と袋支持枠（３）の左右の梁材（３１）の前後の両端部とを、それらに挿通せる横方向の連結ピン（Ｚ）により前後方向に回動を自在に連結し、前面側の左右の支柱（３０）及び後面側の左右の支柱（３０）が、それぞれ袋支持枠（３）の前後の梁材（３１）と一体の剛体枠を形成して、前面側及び後面側の左右の支柱（３０）と前後の梁材（３１）とを連結する連結金具（Ｂ）に挿通せる連結ピン（Ｚ）中心の回動により袋支持枠（３）の下面側に折り畳まれるようにしたことを特徴とする穀粒搬送機。
【請求項２】
袋支持枠（３）の四本の支柱（３０）の各下端側を、基台枠（１）の四隅部に設けた支柱支持部（１０）に装脱自在に支持せしめ、それら四本の支柱（３０）のうちの前面側の左右の支柱（３０）及び後面側の左右の支柱（３０）のそれぞれの上端側で、前後に対向する内壁面に、チャンネル状に形成した連結金具（Ｂ）を、前後方向に突出するように取り付けるとともに、前後の連結金具（Ｂ）の突出長さを一方の突出長さが他方の突出長さより支柱（３０）の巾寸法に対応する分だけ長く形成して、これら連結金具（Ｂ）と支柱（３０）の上端部とに挿通する横軸の連結軸（Ｚ）により支柱（３０）が左右の梁材（３１）に対し前後に回動するよう連結し、かつ、前面側の左右の支柱（３０）及び後面側の左右の支柱（３０）の上端側で左右に対向する内壁面に、チャンネル状に形成した連結金具（Ｃ）を、それぞれに取り付け、これら連結金具（Ｃ）と前後の梁材（３１）の左右の端部とに縦軸の連結軸（Ｙ）を挿通して、前面側及び後面側の左右の支柱（３０）が、それぞれ前後の梁材（３１）とで剛体枠を形成して左右の梁材（３１）の下面側に積層状態に折り畳まれるようにしたことを特徴とする請求項１記載の穀粒搬送機。
【請求項３】
請求項１記載の穀粒搬送機において、前記四本の支柱（３０）の各上端側の前後方向における対向面側の壁面に、チャンネル状とした連結金具（Ｂ）を、それぞれ対向面側に突出させて取り付けることに代えて、前記支柱（３０）の各上端面に、上向きのチャンネル状に形成した連結金具（Ｂ）を、先端側が前記支柱（３０）の外側に突出するように取り付け、かつ、前後の一方の連結金具（Ｂ）は他方の連結金具（Ｂ）より支柱（３０）の巾寸法の分だけ長く突出させて取り付け、それら連結金具（Ｂ）と袋支持枠（３）の左右の梁材（３１）の前後の両端部とを、それらに抜き差し自在に挿通する横軸の連結ピン（Ｚ）を介し、袋支持枠（３）の左右の梁材（３１）の前後の各端部に対し前後方向に回動自在に連結して、前面側の左右の支柱（３０）と後面側の左右の支柱（３０）とが左右の梁材（３１）の上面側に折り畳まれるようにしたことを特徴とする穀粒搬送機。
【請求項４】
四角な台枠状の基台枠（１）の上面側に、該基台枠（１）の四隅部にそれぞれ設けた支柱支持部（１０）から立ち上がる四本の支柱（３０）とそれら支柱（３０）の上端部間に渡架せる四本の梁材（３１）とにより組み立てられる袋支持枠（３）が装架され、その袋支持枠（３）には、上口（４０）を四角な枠状に形成した穀粒袋（４）が、その上口（４０）の周辺部に設けられた鞘状乃至袋懸架部（４２）に対する前記梁材（３１）の挿通により懸架されている穀粒搬送機であって、基台枠（１）の四隅部に設けられる四本の支柱支持部（１０）には、それら支柱支持部（１０）の下端側に下枠（１ａ）となる左右の枠材（１１）が組み付けられ、それら支柱支持枠（１０）の上端側に上枠（１ｂ）となる左右の枠材（１１）が組み付けられ、かつ、前記上枠（１ｂ）は下枠（１ａ）の左右の枠材（１１）に対し、その枠材（１１）の巾寸法だけ内側に偏位させて組み付けてあることを特徴とする請求項１記載の穀粒搬送機。
【発明の詳細な説明】
【技術分野】
【０００１】
本発明は、台枠状の基台枠の上面側に、基台枠の四隅部から立ち上がる支柱とそれら支柱の上端部間に渡架する梁材とにより組み立てられる袋支持枠を装架し、その袋支持枠に穀粒袋を吊り下げ支架して、トラックの荷台上に載架し、穀粒袋に受け入れた穀粒を、トラックの運転走行により搬送する形態の穀粒搬送機に関する。
【背景技術】
【０００２】
この形態の穀粒搬送機は、通常、図１に示しているように、トラックＴの荷台ｔ上に載架し得る四角な台枠状の基台枠１を組み立て、その基台枠１の上面側に、その基台枠１の四隅の各隅部から立ち上がるよう配設する四本の支柱３０と、それら支柱３０の上端部間に渡架するように組み付ける四本の梁材３１とで組み立てる袋支持枠３を組み付け支架し、この袋支持枠３に、上面側に穀粒投入用の上口４０が角枠状に開口する角錐状の穀粒袋４を、吊り下げ懸架することで構成し、投入される穀粒を、袋支持枠３に懸架した穀粒袋４の上面側の上口４０から受け入れ、受け入れた穀粒の排出を、穀粒袋４の下口４１に装備してあるシャッタ４３を開くことで、その下口４１から行うようにしている。
【０００３】
そしてこの穀粒袋４の下口４１から行う穀粒の排出は、通常、前記基台枠１の内部空間の、平面視における略中央部位に、上面側に穀粒の受入口２０が開口し下面側に流出口２１が開口する穀粒導入用の機筐２２と、この機筐２２の下面側に装脱自在に搬送方向の始端側の接続筒部２３を組み付ける内部に螺旋の条線２４を収蔵した搬送筒２５と、その搬送筒２５の終端側に接続する排出器２６と、搬送筒２５内の螺旋の条線２４を駆動回動させるモーターＭと、からなる穀粒コンベア装置２の、前記穀粒導入用の機筐２２と、モーターＭとを組み付けておいて、これに、前記搬送筒２５を接続して、モーターＭの駆動により穀粒コンベア装置を作動させ、該装置２により穀粒袋４内の穀粒を、搬送筒２５の先端の排出器２６から排出させるようにするか、袋支持枠３に懸架した穀粒袋４の吊り下がる下端側を、下端の下口４１ごと袋支持枠３内から袋支持枠３の後面側へ引き出し可能にしておいて、その穀粒袋４の下端側を引き出して下口４１を開放し、穀粒袋４内の穀粒を自然流下により排出させるようにしている。
【０００４】
また、穀粒袋４の袋支持枠３に対する懸架は、袋支持枠３の支柱３０の上端部間に渡架する梁材３１を支柱３０の上端部に対して抜き差し自在の連結ボルト３２により装脱自在に組み付けておいて、この梁材３１を取り外して、穀粒袋４の四角な枠状に開口する上口４０の四辺部に設けておく鞘状乃至袋状の袋懸架部４２に挿通し、その状態で支柱３０に梁材３１を再び取り付け連結することで行うか、図２にあるように、各梁材３１の上方または下方に、梁材３１に平行する袋支持桿ａを配位して、支柱３０の上端部に対し装脱自在に装設しておき、これを外して、穀粒袋４の上口４０の四辺部に設けておく前述の鞘状の懸架部４２に挿通し、その状態で支柱３０間に渡架装着することで行っている。
【０００５】
このように組み立て構成される穀粒搬送機Ａは、圃場において、コンバイン等の収穫機で収穫されて脱穀処理された籾粒を、乾燥機が設置されている収納舎に搬送するように使用するときは、基台枠１内に、穀粒コンベア装置２の、穀粒導入用の機筐２２と、モーターＭが装備せしめてある場合にあっては、その状態の穀粒搬送機Ａを、そのままトラックＴの荷台ｔ上にそっくり載架して、収穫作業を行っている圃場に移動し、その圃場の農道において、圃場内で収穫作業を行っているコンバインから放出される籾粒を、穀粒袋４の上方に開放する上口４０から受け入れ、一杯になったところで、トラックＴの運転により収納舎まで移動し、そこで、収納舎に用意しておく、穀粒コンベア装置２の搬送筒２５と放出器２６とを取り出してその搬送筒２５の始端側の、接続筒部２３を、基台枠１内に装備せしめてある前述の穀粒導入用の機筐２２の下面側に接続し、搬送筒２５の先端の放出器２６を、収納舎に設置されている穀粒乾燥機の受入口にセットし、穀粒袋４の下口４１の下面側に設けられているシャッタ４３を引き出して下口４１を開き、モーターＭを駆動して穀粒コンベア装置２を作動させ、穀粒袋４内の籾粒を穀粒コンベア装置２で排出して、穀粒乾燥機内に投入し、それにより穀粒袋４が空になったところで、穀粒コンベア装置２の搬送筒２５と放出器２６とを取り外し、この状態でトラックＴの運転により圃場に移動し、コンバイン等の収穫機から籾粒を受け入れ、前述と同様の作業を繰り返すことで籾粒（穀粒）の搬送を行うように使用される。
【０００６】
この形態の穀粒搬送機Ａは、上述の如く、圃場で収穫機により収穫して脱穀処理した穀粒を、圃場から収納舎または施設に移送するように用いられることから、穀物の収穫シーズンが終わると翌年の収穫シーズンまで使用されず、収納舎に格納されるようになる。
【０００７】
この格納の際、収納スペースを小さくするため、穀粒搬送機Ａは、折り畳むが、その折り畳みは、通常、基台枠１の四隅部に立設してある袋支持枠３の四本の支柱３０の上端部間に渡架するよう設けている四本の梁材３１を支柱３０から外し、その梁材３１を穀粒袋４の上口４０の四周部に形成してある袋状乃至鞘状の袋懸架部４２から抜き取り、懸架が開放された状態となった穀粒袋４を、下口４１が基台枠１に組み付けてある穀粒コンベア装置２の穀粒導入用の機筐２２の上面の受入口２０に接続している状態のまま、基台枠１の上面に折り畳んで積み重ね、その上に外した梁材３１を載置し、その梁材３１の上に、袋支持枠３の四本の支柱３０のうちの前端側に位置する左右の２本の支柱３０を、基台枠１の隅部に設けている支柱支持部１０との連結軸を中心に基台枠１の上面に向け折畳回動させて、折り畳んだ穀粒袋４の上に重ね、次いで、後端側の左右の２本の支柱３０を、同様に基台枠１の上面に向け倒伏させるよう折畳回動させることで、全体が略基台枠１の容積となるまでに縮小させることで行っている。そして翌年の収穫シーズンがきたときに、収納舎から取り出して、前述の逆の順で穀粒搬送機Ａに組み立て、トラックＴの荷台ｔに載架して使用するようにしている。
【０００８】
この穀粒搬送機Ａは、収穫シーズンが終了して収納舎に収納するときに、収納スペースを小さくするために行う折り畳みを、基台枠１の上面に装架した袋支持枠３からそれの四本の支柱３０の上端部間に渡架して連結してある梁材３１を外し、穀粒袋４の袋懸架部４２から抜き取り、穀粒袋４の懸架を解放した状態としておいて、袋支持枠３の基台枠１の前端側に位置する左右の２本の支柱３０と、基台枠１の後端側に位置する左右の２本の支柱３０とを、基台枠１の上面に向けそれぞれ折畳回動させて、基台枠１の上面に重ねることで、全体の容積を縮小させるようにしていることから、折り畳みのための作業工数が多く、手間と時間を要し、また、組み立てるときに、穀粒袋４の鞘状の袋懸架部４２に、穀粒袋懸架用の梁材３１または支持桿ａを挿通し、その状態で袋支持枠３の支柱３０の上端部間に渡架するよう組み付けなければならず、組み立てのための作業工数を多くしている問題がある。
【発明の概要】
【発明が解決しようとする課題】
【０００９】
収納の際の収納スペースを小さくするために穀粒搬送機Ａを折り畳むときの、作業工数を多くしているのは、袋支持枠３の折り畳みを、前面側の左右の２本の支柱３０と後面側の左右の２本の支柱３０とをそれぞれ、基端側の連結軸中心に基台枠１の上面に向け折り畳み回動させることで行うことから、この前後それぞれの左右２本の支柱３０を基台枠１に対して折り畳み回動させるための作業として、袋支持枠３の四本の支柱３０の上端部間に渡架した梁材３１を支柱３０上端部から外し、かつ、穀粒袋４の袋懸架部４２から梁材３１を抜き取って、穀粒袋４の懸架を解放状態とする作業を行っていることによる。
【００１０】
袋支持枠３の前面側の左右の支柱３０と後面側の左右の支柱３０との、それぞれの折畳回動が、袋支持枠３の支柱３０の上端部に渡架せる梁材３１を、支柱３０の上端部から取り外さずに、かつ、穀粒袋４の鞘状の懸架部４２がその梁材３１に懸架された状態において、得られるようになれば、穀粒搬送機Ａの折り畳みが少ない作業工数で行えるようになる
【００１１】
このことから、本発明において、解決しようとする課題は、穀粒搬送機を折り畳む際の、袋支持枠３の支柱３０の折り畳み回動が、支柱３０の上端部間に梁材３１が渡架され組み付けられた状態で、かつ、穀粒袋４の鞘状の袋懸架部４２が、それに梁材・支持桿が挿通されて懸架支持された状態において、行えるようにする点にある。
【課題を解決するための手段】
【００１２】
本発明においては、上述の課題を解決するための手段として、四角な台枠状の基台枠１の上面側に、該基台枠１の四隅部にそれぞれ設けた支柱支持部１０から立ち上がる四本の支柱３０と、それら支柱３０の上端部間に渡架する四本の梁材３１とにより組み立てられる袋支持枠３を装架し、その袋支持枠３に上口４０を四角な枠状に開口せしめた穀粒袋４を、該穀粒袋４の上口４０の周辺部に設けた鞘状乃至袋状の袋懸架部４２に対する前記梁材３１の挿通により懸架して構成する穀粒搬送機であって、袋支持枠３の四本の支柱３０の各下端側を、基台枠１の四隅部に設けた支柱支持部１０に対し装脱自在に支持せしめ、それら四本の支柱３０の各上端側の左右方向における対向面側の壁面には、チャンネル状とした連結金具Ｃをそれぞれ対向面側に取り付け、それら連結金具Ｃと前面側及び後面側における左右の支柱３０の各上端部と袋支持枠３の前後の梁材３１の左右の両端部とを、それらに挿通せる縦方向の連結軸Ｙにより一体的に連結し、かつ、前記四本の支柱３０の各上端側の、前後方向における対向面側の壁面には、チャンネル状とした連結金具Ｂを、それぞれ対向面側に突出させて取り付け、それら連結金具Ｂと袋支持枠３の左右の梁材３１の前後の両端部とを、それらに挿通せる横方向の連結ピンＺにより前後方向に回動を自在に連結し、前面側の左右の支柱３０及び後面側の左右の支柱３０が、それぞれ袋支持枠３の前後の梁材３１と一体の剛体枠を形成して、前面側及び後面側の左右の支柱３０と前後の梁材３１とを連結する連結金具Ｂに挿通せる連結ピンＺ中心の回動により袋支持枠３の下面側に折り畳まれるようにしたことを特徴とする穀粒搬送機を提起するものである。
そして、これに併せて、袋支持枠３の四本の支柱３０の各下端側を、基台枠１の四隅部に設けた支柱支持部１０に装脱自在に支持せしめ、それら四本の支柱３０のうちの前面側の左右の支柱３０及び後面側の左右の支柱３０のそれぞれの上端側で、前後に対向する内壁面に、チャンネル状に形成した連結金具Ｂを、前後方向に突出するように取り付けるとともに、前後の連結金具Ｂの突出長さを一方の突出長さが他方の突出長さより支柱３０の巾寸法に対応する分だけ長く形成して、これら連結金具Ｂと支柱３０の上端部とに挿通する横軸の連結軸Ｚにより支柱３０が左右の梁材３１に対し前後に回動するよう連結し、かつ、前面側の左右の支柱３０及び後面側の左右の支柱３０の上端側で左右に対向する内壁面に、チャンネル状に形成した連結金具Ｃを、それぞれに取り付け、これら連結金具Ｃと前後の梁材３１の左右の端部とに縦軸の連結軸Ｙを挿通して、前面側及び後面側の左右の支柱３０が、それぞれ前後の梁材３１とで剛体枠を形成して左右の梁材３１の下面側に積層状態に折り畳まれるようにした手段、
及び、袋支持枠３の四本の支柱３０の各下端側を、基台枠１の四隅部に設けた支柱支持部１０に装脱自在に支持せしめ、それら支柱３０の上端側を、それら支柱３０の前後方向における外面側に設けた連結金具Ｂとその連結金具Ｂに抜き差し自在に軸支する横軸の連結ピンＺを介し、袋支持枠３の左右の梁材３１の前後の各端部に対し前後方向に回動自在に連結して、前面側の左右の支柱３０と後面側の左右の支柱３０とが左右の梁材３１の上面側に折り畳まれるようにした手段、
及び、四角な台枠状の基台枠１の上面側に、該基台枠１の四隅部にそれぞれ設けた支柱支持部１０から立ち上がる四本の支柱３０とそれら支柱３０の上端部間に渡架せる四本の梁材３１とにより組み立てられる袋支持枠３が装架され、その袋支持枠３には、上口４０を四角な枠状に形成した穀粒袋４が、その上口４０の周辺部に設けられた鞘状乃至袋懸架部４２に対する前記梁材３１の挿通により懸架されている穀粒搬送機であって、基台枠１の四隅部に設けられる四本の支柱支持部１０には、それら支柱支持部１０の下端側に下枠１ａとなる左右の枠材１１が組み付けられ、それら支柱支持枠１０の上端側に上枠１ｂとなる左右の枠材１１が組み付けられ、かつ、前記上枠１ｂは下枠１ａの左右の枠材１１に対し、その枠材１１の巾寸法だけ内側に偏位させて組み付けてある手段を提起するものである。
【発明の効果】
【００１３】
本発明手段によれば、穀粒搬送機を折り畳むとき、袋支持枠に穀粒袋を懸架した状態のまま、袋支持枠の支柱の下端を、基台枠の支柱支持部から取り外して、梁材に沿う姿勢に折り畳み、その状態で下降させて、基台枠の上面に重ねていけば、袋支持枠と穀粒袋とが、基台枠の上面に折り畳まれた状態となるので、穀粒搬送機の収納のための折り畳みが、少ない作業工数で得られるようになる。
【図面の簡単な説明】
【００１４】
【図１】穀粒搬送機の側面図である。
【図２】同上穀粒搬送機の、変形例の部分の側面図である。
【図３】本発明の第１の実施例の穀粒搬送機の側面図である。
【図４】同上穀粒搬送機の後面図である。
【図５】同上穀粒搬送機の基台枠の平面図である。
【図６】同上穀粒搬送機の支柱支持部の斜視図である。
【図７】同上穀粒搬送機の袋支持枠の平面図である。
【図８】同上穀粒搬送機の袋支持枠の上半部分の斜視図である。
【図９】同上部分の支柱を回動させた状態の斜視図である。
【図１０】同穀粒搬送機の穀粒袋の下口と穀粒コンベア装置との接続部分の一部破断した側面図である。
【図１１】同上穀粒搬送機の折り畳み作業の工程の説明図である。
【図１２】同上穀粒搬送機の折り畳み作業の工程の説明図である。
【図１３】同上穀粒搬送機の折り畳み作業の工程の説明図である。
【図１４】同上穀粒搬送機の折り畳み作業の工程の説明図である。
【図１５】同上穀粒搬送機の折り畳み作業が終了した状態の説明図である。
【図１６】本発明の第２の実施例の穀粒搬送機の側面図である。
【図１７】同上穀粒搬送機の連結金具の斜視図である。
【図１８】同上穀粒搬送機の折り畳み作業の工程の説明図である。
【図１９】同上穀粒搬送機の折り畳み作業の工程の説明図である。
【図２０】同上穀粒搬送機の折り畳み作業が終了した状態の説明図である。
【図２１】本発明の第３の実施例の穀粒搬送機の側面図である。
【図２２】同上の穀粒搬送機の支柱支持部の斜視図である。
【図２３】同上穀粒搬送機の折り畳み作業の工程の説明図である。
【図２４】同上穀粒搬送機の折り畳み作業の工程の説明図である。
【図２５】同上穀粒搬送機の折り畳み作業の工程の説明図である。
【図２６】同上穀粒搬送機の折り畳み作業が終了した状態の説明図である。
【発明を実施するための形態】
【００１５】
次に本発明の実施の態様を、実施例について図面に従い詳述する。
【実施例１】
【００１６】
図３は第１の実施例の穀粒搬送機の、トラックの荷台上に載架した状態における側面図、図４は同上穀粒搬送機の後面図で、図において、Ｔはトラック、ｔはそのトラックＴの荷台、Ａは穀粒搬送機、１は穀粒搬送機Ａの基台枠、３はその基台枠１の上面側に装架した袋支持枠、４はその袋支持枠３に懸架した穀粒袋、２は基台枠１の内部空間に組み付けた穀粒袋４からの穀粒排出用の穀粒コンベア装置を示す。
【００１７】
この例は、基台枠１の上面側に装架した袋支持枠３を折り畳むのに、支柱３０を梁材３１の下面側に折畳回動させるようにしている例である。
【００１８】
穀粒搬送機Ａは、四角な台枠状に組み立てた基台枠１の上面側に、基台枠１の四隅部に設けた支柱支持部１０から立ち上がる四本の支柱３０とそれら支柱３０の上端部間に渡架して端部を支柱３０に対し連結する四本の梁材３１とにより四角な櫓状に組み立てた袋支持枠３を装架し、その袋支持枠３に、穀粒袋４を懸架して構成することについては、通常の形態のものと同様であるが、その基台枠１は、図５にあるように、左右の枠材１１・１１と、前後の枠材１２・１２とで長方形状の下枠１ａを枠組みし、その下枠１ａの各隅部に、支柱支持部１０を構成する短い支柱１０’をそれぞれ組み付け、その短い支柱１０’の内面側に、下枠１ａの左右の枠材１１に平行する上枠１ｂを左右に一対に対向するようそれぞれ取り付け、下枠１ａの左右の枠材１１間と、左右に対向する一対の上枠１ｂの間に、それぞれつなぎ材１３を渡架し、その上下のつなぎ材１３の間に、補強枠材１４を渡架することで、平面視において図５にあるよう長方形状の四角な台枠状に枠組みしてある。
【００１９】
そして、下枠１ａの四隅部に立設する短い支柱１０’は、図６にあるように、全体が、基台枠１の内側に向かう側が開放口１０ａとして開放する平面視でコの字形をなし、底部に開放口１０ａを塞ぐ堰板１０ｂを有する筒状に形成して支柱支持部１０に構成してあり、これにより、袋支持枠３の支柱３０の下端側を横から嵌挿して、それの下端が底部の堰板１０ｂに接合したところで、ボルト穴１０ｃにボルト・ナットよりなる連結ピンＰを挿通して連結することで、袋支持枠３の支柱３０の支持が行われ、連結ピンＰを抜いて支柱３０を持ち上げ勝手として開放側に動かすことで、脱出が行われるようにして、袋支持枠３の支柱３０を挿脱自在に支持するようにしている。支柱支持部１０は、開放口１０ａが底部まで連続する上下方向のチャンネル状に形成して、支柱３０の下端部を、基台枠１の左右の枠材１１の長手方向に沿い、前後方向に動かすことで、この開放口１０ａから支柱支持部１０内に嵌入させ、連結ピンＰを上下２個所に挿通して、直立する状態に支持せしめるようにする場合がある。
【００２０】
袋支持枠３は、基台枠１の四隅の隅部にそれぞれ設けられる支柱支持部１０に下端部を支持せしめて立ち上げる四本の支柱３０とそれら支柱３０の上端部間に渡架する四本の梁材３１により四角な櫓状に組み立てるが、その四本の支柱３０と梁材３１との連結は、以下に記述する構成としてある。即ち、図８にあるように、前面側に位置する左右の２本の支柱３０の各後壁面には、下向きのチャンネル状に成形した連結金具Ｂを取り付け、これに左右の梁材３１の各前端側を、横軸としたボルト・ナットよりなる装脱自在の連結ピンＺにより連結して、支柱３０が連結ピンＺ中心の回動で梁材３１に対しその梁材３１の下面側に沿う姿勢に向けての回動が可能となるようにし、左右の支柱３０の各対面側の壁面には横向きのチャンネル状としたコの字形の連結金具Ｃを取り付けて、これに、前面側に位置する梁材３１の左右の端部をそれぞれ嵌装して、縦軸とした装脱自在の連結軸Ｙにより連結し、これにより、左右の支柱３０を前述の横軸とした連結ピンＺ中心に後方に回動させたとき、左右の支柱３０と前面側の梁材３１とが一体的に連結した剛体枠となって一緒に回動するようにし、また、後面側に位置する左右の２本の支柱３０の各前面側の壁面には、前述の前面側の左右の支柱３０と同様に下向きのチャンネル状の連結金具Ｂを取り付けて、これに、左右の梁材３１の後端側を嵌装して横軸とした装脱自在の連結ピンＺにより連結して、左右の支柱３０が図９にあるように連結ピンＺ中心に左右の梁材３１に対し前方に向けての回動を可能とし、左右の支柱３０の各対向側の壁面には、前述の前面側の左右の支柱３０の場合と同様に、横向きのチャンネル状としたコの字形の連結金具Ｃをそれぞれ設けて、これらに後面側の梁材３１の左右の両端部を嵌装して、縦軸とした装脱自在の連結軸Ｙにより連結して後面側の支柱３０を連結ピンＺ中心に左右の梁材３１に対し前方に回動させたときに、この後面側の左右の支柱３０が一体的に連結して一緒に回動するようになる連結としてある。
【００２１】
そして、このように、支柱３０と梁材３１とで組み立てられる袋支持枠３に対する穀粒袋４の懸架は、基台枠１の四隅部に設けた支柱支持枠１０に支持せしめた四本の支柱３０間に梁材３１を渡架連結する前に、梁材３１を、穀粒袋４の上面４０の四辺部の外面側に装設してある鞘状の袋懸架部４２に通しておいて、その状態で梁材３１を、支柱３０の壁面に設けた前後に対向する下向きのチャンネル状の連結金具Ｂ間と、左右に対向する横向きのチャンネル状の連結金具Ｃ間にそれぞれ渡架して、横軸の連結ピンＺ・及び縦軸の連結軸Ｙにより連結し組み付け袋支持枠３を組み立てることで、同時に穀粒袋４の懸架が行われるようにしている。
【００２２】
この穀粒袋４の下口４１は、袋支持枠３を組み立てる前に、図５にあるように、基台枠１の左右の上枠１ｂ間に渡架してあるつなぎ材１３に装設してある角枠状の枠金１ｃの内側に嵌挿して、その枠金１ｃに止着し、下端の開口を、図１０にあるように、基台枠１の上枠１ｂ間に装設してあるつなぎ材１３の下面に沿いスライドして開閉作動するシャッタ４３を介し、上枠１ｂ間に装設してあるつなぎ材１３の下面に垂設せる案内樋４４に接続し、その案内樋４４の下端開口を、穀粒コンベア装置２の穀粒導入用の機筐２２の上面側に開口してある穀粒受入口２０と接続せしめた状態としておく。
【００２３】
このように組み立てられる穀粒搬送機Ａの、収納のための折り畳みは、次の作業工程で行われる。
【００２４】
まず、図１１に示している組み立てられている状態の穀粒搬送機Ａの基台枠１の四隅部の支柱支持部１０から連結ピンＰを抜き取り、支柱３０の支持を開放する。
【００２５】
次に、袋支持枠３の前面側の左右の支柱３０を持ち上げ勝手として、後方に押し出し、図１２で矢印で示しているように横軸の連結ピンＺ中心に後方上方に向け回動させ、左右の梁材３１の下面に沿う姿勢となったところで、その支柱３０の回動端である下端部を、穀粒袋４の外面側に設けてあるループ状の係止具５に係止して、支柱３０を梁材３１の下面に沿う姿勢に保持させる。
【００２６】
この支柱３０の梁材３１との連結軸である横軸の連結ピンＺ中心の矢印方向の回動は、基台枠１の上枠１ｂが図５の平面図にあるように、下枠１ａの左右の枠材１１に対し、その枠材１１の巾寸法だけ内側に偏位させて組み付けてあることで、この上枠１ｂと干渉することなく行われる。
【００２７】
次にこの状態から、梁材３１及び折り畳み回動させた支柱３０の前端側を、図１３で矢印で示しているように、後面側の支柱３０と梁材３１の後端部とを連結する横軸の連結ピンＺ中心に下降回動させ、基台枠１の上面に当接させて支承させる。
【００２８】
次にこの状態から、図１４にあるように、梁材３１の後端側を支えながら後面側の左右の支柱３０を、持ち上げ勝手として前方に押し出し、梁材３１後端側の横軸の連結ピンＺ中心に前方に回動させ、支えている後端側を下降させながら前方に押し出すようにする。
【００２９】
これにより、図１５にあるように、下面側に支柱３０が折り畳まれた状態となった梁材３１と、梁材３１の下降により折り畳まれた穀粒袋４とが、基台枠１の上面に重合するようになって、穀粒搬送機Ａの折り畳みが終了する。
【実施例２】
【００３０】
図１６は、別の実施例の側面図である。この実施例の穀粒搬送機Ａは、袋支持枠３の前面側の左右の支柱３０及び後面側の左右の支柱３０の、梁材３１に対する横軸の連結ピンＺ中心の折り畳み回動が、梁材３１の上面側に向けて行われていくようにしている例である。
【００３１】
基台枠１及び袋支持枠３ならびに穀粒袋４の基本的な構成は、前述の実施例のものと変わりがないが、袋支持枠３の支柱３０を、梁材３１の上面側に向け回動させることで、その支柱３０の回動方向が基台枠１の前後の外側に向かう方向となることから、基台枠１の四隅部に設ける支柱支持部１０は、それの側壁面に設ける開放口が、前述の実施例の図６に示した支柱支持部１０とは逆向きに基台枠１の外側に向かうように形成してある。
【００３２】
また、梁材３１に対し横軸の連結ピンＺで連結するために、支柱３０の上端部に取り付ける連結金具Ｂは、図１７に示しているように、上向きのチャンネル状に形成して、支柱３０の上端面に、先端側が支柱３０の外側に突出するように取り付けている。そして、前後の一方の連結金具Ｂは他方の連結金具Ｂよりも、支柱３０の巾寸法の分だけ長く突出するよう形成してある。
【００３３】
この実施例の穀粒搬送機Ａの収納のための折り畳みは、次の作業工程で行われる。
まず、図１６に示している状態から、基台枠１の四隅部に設けている支柱支持部１０から連結ピンＰを外して支柱３０の支持を開放し、この状態で前面側の左右の支柱３０を、図１８において矢印に示しているように、前方にむけ回動させたのち、後方に回動させて、梁材３１の上面に重ねて同図１８に示している状態とする。
【００３４】
次いで前端側を支えた状態で後面側の左右の支柱３０を、図１９で矢印で示しているように、後方への回動を経て前方に向かうように回動させて、同図１９に示している状態とする。
【００３５】
次いで、上面側に支柱３０が積層して重ねられた状態の梁材３１を下降させて基台枠１の上面に重ねるように載置し、図２０に示している状態とする。
【００３６】
これにより、袋支持枠３及びこれに懸架していた穀粒袋４が折り畳まれて基台枠１の上面に重なり、穀粒搬送機Ａの収納のための折り畳みは終了する。
【実施例３】
【００３７】
図２１は、さらに別の実施例を示す。この例は、袋支持枠３の支柱３０の、基台枠１の四隅部に設ける支柱支持部１０に対する装脱が、袋支持枠３を持ち上げて、支柱３０の支柱支持部１０からの抜き上げと、下降により挿し込むことで行われるようにしている例である。
【００３８】
前述の実施例１及び実施例２では、支柱３０を支柱支持部１０に対し横方向に動かす作動により装脱が行われるようにしていることから、支柱支持部１０は、側面に支柱３０を出入させる開放口を設け、装入した状態に保持するための連結ピンＰを設けた構造のものとしていたが、この例では、支柱支持部１０は、図２２に示しているように、支柱３０の下端側が抜き差し自在に嵌挿される角筒状に形成してあって、これにより、袋支持枠３の支柱３０の下端側を上から挿し込めば、その支柱３０が連結ピンＰを要することなく立設状態に支持された状態になり、また、立設支持のための連結ピンＰを要しないことから、支柱３０を引き上げるだけで、支柱支持部１０から脱出してくるようにしてある。
【００３９】
この実施例の穀粒搬送機Ａの上述の支柱支持部１０を除いたその他の構成は、前述の実施例１、２のものと同様に構成してある。
【００４０】
この例の穀粒搬送機Ａの収納のための折り畳みは、次の作業工程で行われる。
まず、袋支持枠３に懸架した穀粒袋４の下口４１と、基台枠１に組み付けている枠金１ｃとの接続は外しておく。
【００４１】
この状態において、穀粒袋４が懸架してある状態のまま袋支持枠３を持ち上げ、袋支持枠３の支柱３０の下端側を支柱支持部１０から抜き上げて図２３に示し状態とする。
【００４２】
次に、この状態において前面側の左右の支柱３０を、梁材３１前端と連結する横軸の連結ピンＺ中心に梁材３１の下面に向け回動させて折り畳み、図２４の状態とする。
【００４３】
次に、後面側の左右の支柱３０を、梁材３１の後端と連結する横軸の連結ピンＺ中心に梁材３１の下面に向け回動させ、さきに回動させて折り畳んだ前面側の左右の支柱３０の下面に重ね、図２５の状態とする。
【００４４】
次に、この状態から、折り畳んだ支柱３０と梁材３１を下降させ、基台枠１の上面に、図２６にあるように載置して重ねる
【００４５】
これにより、袋支持枠３及びこれに懸架した穀粒袋４が折り畳まれて基台枠１上に重なり、穀粒搬送機Ａの折り畳みは終了する。
【符号の説明】
【００４６】
Ａ    穀粒搬送機
Ｂ    連結金具
Ｃ    連結金具
Ｍ    モーター
Ｐ    連結ピン
Ｔ    トラック
Ｙ    連結軸
Ｚ    連結ピン
ａ    袋支持桿
ｔ    荷台
１    基台枠
１ａ  下枠
１ｂ  上枠
１ｃ  枠金
１０    支柱支持部
１０ａ  開放口
１０ｂ  堰板
１０ｃ  ボルト穴
１０’  短い支柱
１１    左右の枠材
１２    前後の枠材
１３    つなぎ材
１４    補強枠材
２    穀粒コンベア装置
２０    受入口
２１    流出口
２２    機筐
２３    接続筒部
２４    条線
２５    搬送筒
２６    放出器
３    袋支持枠
３０    支柱
３１    梁材
３２    連結ボルト
４    穀粒袋
４０    上口
４１    下口
４２    袋懸架部
４３    シャッタ
４４    案内樋
５    係止具
【図１】
0005476165.tif 000002
【図２】
0005476165.tif 000003
【図３】
0005476165.tif 000004
【図４】
0005476165.tif 000005
【図５】
0005476165.tif 000006
【図６】
0005476165.tif 000007
【図７】
0005476165.tif 000008
【図８】
0005476165.tif 000009
【図９】
0005476165.tif 000010
【図１０】
0005476165.tif 000011
【図１１】
0005476165.tif 000012
【図１２】
0005476165.tif 000013
【図１３】
0005476165.tif 000014
【図１４】
0005476165.tif 000015
【図１５】
0005476165.tif 000016
【図１６】
0005476165.tif 000017
【図１７】
0005476165.tif 000018
【図１８】
0005476165.tif 000019
【図１９】
0005476165.tif 000020
【図２０】
0005476165.tif 000021
【図２１】
0005476165.tif 000022
【図２２】
0005476165.tif 000023
【図２３】
0005476165.tif 000024
【図２４】
0005476165.tif 000025
【図２５】
0005476165.tif 000026
【図２６】
0005476165.tif 000027